(57)【特許請求の範囲】
【請求項１】
互いに交差する複数のデータ線及び複数の走査線と、前記複数のデータ線及び前記複数の走査線との交差に対応して設けられた複数の画素と、前記複数の画素を含む画像表示領域を備え、
前記画像表示領域は、前記複数の走査線のうちの連続するｍ本（ｍは、２以上の自然数）の走査線を含み、基準の電位に対して正極性の画像信号が印加される正極性領域と、前記複数の走査線のうちの連続するｍ本の走査線を含み、前記基準の電位に対して負極性の画像信号が印加される負極性領域とを含む電気光学装置であって、
前記正極性領域の走査線と前記負極性領域の走査線とに所定の順番で走査信号を供給する走査線駆動回路と、
前記データ線に、表示期間において、前記走査信号が供給された走査線に対応する前記正極性の画像信号または前記負極性の画像信号を供給し、オフシーケンス期間において、所定の電位を供給するデータ線駆動回路とを備え、
前記走査線駆動回路は、
前記表示期間において、１垂直期間に１／２垂直期間位相の異なる第１のスタートパルスと第２スタートパルスを、第１のクロック信号に基づいてシフトするとともに、前記第１のスタートパルスに基づいて第１の走査信号を出力し、前記第２のスタートパルスに基づいて第２の走査信号を出力し、
前記オフシーケンス期間において、１垂直期間に１／２垂直期間位相の異なる第３のスタートパルスと第４のスタートパルスを、第２のクロック信号に基づいてシフトするとともに、前記第３のスタートパルスに基づいて第３の走査信号を出力し、前記第４のスタートパルスに基づいて第４の走査信号を出力し、
前記第３のスタートパルスと前記第４のスタートパルスのパルス幅は、前記第１のスタートパルスと前記第２のスタートパルスの半分であり、
前記第２のクロック信号の周期は、前記第１のクロック信号の半分であることを特徴とする電気光学装置。
【請求項２】
前記表示期間では、１本の走査線を選択する期間である１水平走査期間毎に、対応する前記画像表示領域に供給するべき画像信号を前記基準の電位に対して極性を反転させつつ、前記データ線に供給することを特徴とする請求項１に記載の電気光学装置。
【請求項３】
互いに交差する複数のデータ線及び複数の走査線と、前記複数のデータ線及び前記複数の走査線との交差に対応して設けられた複数の画素と、前記複数の画素を含む画像表示領域を備え、
前記画像表示領域は、前記複数の走査線のうちの連続するｍ本（ｍは、２以上の自然数）の走査線を含み、基準の電位に対して正極性の画像信号が印加される正極性領域と、前記複数の走査線のうちの連続するｍ本の走査線を含み、前記基準の電位に対して負極性の画像信号が印加される負極性領域とを含み、
前記正極性領域の走査線と前記負極性領域の走査線とに所定の順番で走査信号を供給する走査線駆動回路と、
前記データ線に、表示期間において、前記走査信号が供給された走査線に対応する前記正極性の画像信号または前記負極性の画像信号を供給し、オフシーケンス期間において、所定の電位を供給するデータ線駆動回路とを備えた電気光学装置の駆動方法であって、
前記表示期間において、１垂直期間に１／２垂直期間位相の異なる第１のスタートパルスと第２スタートパルスを、第１のクロック信号に基づいてシフトするとともに、前記第１のスタートパルスに基づいて第１の走査信号を出力し、前記第２のスタートパルスに基づいて第２の走査信号を出力し、
前記オフシーケンス期間において、１垂直期間に１／２垂直期間位相の異なる第３のスタートパルスと第４のスタートパルスを、第２のクロック信号に基づいてシフトするとともに、前記第３のスタートパルスに基づいて第３の走査信号を出力し、前記第４のスタートパルスに基づいて第４の走査信号を出力し、
前記第３のスタートパルスと前記第４のスタートパルスのパルス幅は、前記第１のスタートパルスと前記第２のスタートパルスの半分であり、
前記第２のクロック信号の周期は、前記第１のクロック信号の半分であることを特徴とする電気光学装置の駆動方法。
【請求項４】
請求項１又は２に記載の電気光学装置を備えることを特徴とする電子機器。
【発明の詳細な説明】
【技術分野】
【０００１】
本発明は、例えば液晶装置等の電気光学装置の駆動方法、電気光学装置及び電子機器の技術分野に関する。
【背景技術】
【０００２】
この種の電気光学装置では、基板上に走査線及びデータ線が互いに交差するように配線され、この交差に対応して画素電極を含む画素部が形成されることにより、複数の画素部がマトリクス状に平面配列される。各画素部には、例えば薄膜トランジスタからなる画素スイッチング素子が含まれる。電気光学装置の駆動時には、各画素部において、走査線駆動回路から走査線を介して走査信号が供給されることにより画素スイッチング素子がオン状態となると、データ線より画素スイッチング素子を介して画素電極に画像信号が供給される。
【０００３】
このような電気光学装置を駆動する駆動方法には、駆動中に発生する表示不良を低減するための工夫がなされている。例えば特許文献１には、表示画面のフリッカを低減することを目的として、複数の画素部が配列された画素領域又は画素アレイ領域（或いは画像表示領域とも呼ばれる）を、例えば上下２分割や上下４分割など、部分的な領域に分けて、それらの領域別に垂直走査を行うと共に該垂直走査を領域間で交互に又は交替で行い、好ましくは部分的な領域別に倍速駆動を行うと共に該倍速駆動を領域間で交互に又は交替で行うといった、領域を跨ぐ形で画素部のライン状配列を飛ばして走査する走査方式（以下単に、“領域走査”或いは“領域走査方式”と称する）が、本願出願人により提案されている。
【０００４】
他方で、この種の電気光学装置では、電源停止（電源オフ）時に、複数の画素部に残留電荷が不均一に残ってしまうのを防ぐために、電源を停止する前に、全ての画素部に対して例えば黒色に係る画像信号を供給した後にデータ線に対する画像信号の供給を停止する（言い換えれば、データ線を電気的に切断されたハイインピーダンス状態とする）オフシーケンス動作が行われる。このようなオフシーケンス動作が行われることで、電源が停止された後に、オフシーケンス動作の直前に画素領域に表示されていた画像に応じて複数の画素部に不均一に残り得る残留電荷を実践上均一にすることができ、画素領域に残像が表示されてしまうこと（即ち、所謂「焼き付き」の発生）を防ぐことができる。
【０００５】
【特許文献１】特開２００４−１７７９３０号公報
【発明の開示】
【発明が解決しようとする課題】
【０００６】
しかしながら、上述した特許文献１に記載の領域走査によって電気光学装置を駆動させつつ、上述したようなオフシーケンス動作を行う場合には、オフシーケンス動作においてデータ線に対する画像信号の供給を停止した後にも、少なくとも一定期間は継続して垂直走査が行われてしまい、ハイインピーダンス状態とされたデータ線から画素部に不定な電位が書き込まれてしまうおそれがある。これにより、複数の画素部に残留電荷が不均一に残ってしまうおそれがあるという技術的問題点がある。
【０００７】
本発明は、例えば上述した問題点に鑑みなされたものであり、複数の画素部における残留電荷の差を小さくすることができる電気光学装置の駆動方法、電気光学装置及び電子機器を提供することを課題とする。
【課題を解決するための手段】
【０００８】
本発明に係る電気光学装置の駆動方法は上記課題を解決するために、互いに交差して延びる複数のデータ線及び複数の走査線と、前記複数のデータ線及び前記複数の走査線の交差に対応して設けられることによりマトリクス状に配列された複数の画素部とを備えた電気光学装置を駆動する電気光学装置の駆動方法であって、前記複数の画素部が配列された画素領域に表示すべき画像を表示する表示期間では、前記画素領域上での前記データ線が延びる垂直方向への垂直走査を、前記走査線が延びる水平方向に沿って配列された前記画素部のライン状配列を基本単位として、ｍ（但し、ｍは自然数）本以上の前記ライン状配列ずつ飛ばして行い、前記表示期間中に前記電気光学装置の電源をオフ状態にすべき旨の指示が前記電気光学装置に入力されたタイミングに応じて前記表示期間に続いて開始されるオフシーケンス期間では、少なくとも前記画素領域に一画面が表示される期間として予め定められた一画面表示期間だけ、前記画素領域上での前記垂直走査を、前記ライン状配列を基本単位として、順次に行うと共に前記データ線に所定電位を有する電位信号を供給する。
【０００９】
本発明に係る電気光学装置の駆動方法によれば、例えば液晶装置等である電気光学装置を、表示期間では、例えば上述した領域走査方式で駆動する。即ち、本発明に係る電気光学装置の駆動方法によって駆動される電気光学装置では、表示期間において、例えば領域走査である、画素部のライン状配列をｍ本以上のライン状配列ずつ飛ばした垂直走査が行われる。この際、典型的には、１本のライン状配列における水平走査を伴う。尚、水平走査においては、シリアルーパラレル変換された画像信号に基づいて、複数の画素部に対して同時に書き込みが行われてもよい。
【００１０】
本発明では、複数の画素部に所定電位を有する電位信号（例えば黒画面を表示させるための画像信号）を書き込んだ後にデータ線を電気的に切断されたハイインピーダンス状態とするためのオフシーケンス期間が設けられている。オフシーケンス期間は、表示期間中に電気光学装置の電源をオフ状態にすべき旨の指示（例えば、オフコマンド）が電気光学装置に入力されたタイミングに応じて、表示期間に続いて開始される。また、オフシーケンス期間の終了後に電気光学装置の電源がオフ状態とされる。
【００１１】
本発明では特に、オフシーケンス期間では、少なくとも一画面表示期間（或いは１垂直期間とも呼ぶ）だけ、画素領域上での垂直走査を、ライン状配列を基本単位として、順次に行うと共にデータ線に所定電位を有する電位信号を供給する。ここに「順次に行う」とは、ライン状配列の垂直方向に沿った配列の順序で次々に行うことを意味し、例えば、画素領域における上側から下側へ向かって、ライン状配列を飛ばすことなく、１本のライン状配列ずつ順番に行うことを意味する。言い換えれば、オフシーケンス期間では、少なくとも一画面表示期間だけ、隣接する走査線を順番に選択するように、画素領域上での垂直走査を行うと共にデータ線に所定電位を有する電位信号を供給する。よって、オフシーケンス期間のうち少なくとも一画面表示期間内で、複数の画素部に対して所定電位を有する電位信号を書き込むことができる。従って、オフシーケンス期間の終了後（言い換えれば、電気光学装置の電源がオフ状態とされた後）に、複数の画素部に残留電荷が不均一に残ってしまうことを抑制することができる（即ち、複数の画素部における残留電荷の差を小さくすることができる）。これにより、電気光学装置の画素領域に残像が表示されてしまうことを低減或いは防止することもできる。
【００１２】
つまり、本発明によれば、表示期間では、例えば上述した領域走査方式で駆動させることで表示画面のフリッカを低減することができると共に、電源をオフ状態にすべき旨の指示が電気光学装置に入力されたタイミングに応じて例えば上述した領域走査方式での駆動を停止させてオフシーケンス期間では、複数の画素部に対する所定電位を有する電位信号の書き込みを、画素領域上での垂直走査を順次に行うことによって行うことで、ハイインピーダンス状態とされたデータ線から画素部に不定な電位が書き込まれてしまうことを回避でき、この結果、複数の画素部における残留電荷の差を小さくすることができる。
【００１３】
以上説明したように、本発明に係る電気光学装置の駆動方法によれば、複数の画素部における残留電荷の差を小さくすることができる。これにより、画素領域に残像が表示されてしまうことを低減することもできる。
【００１４】
本発明に係る電気光学装置の駆動方法の一態様では、前記表示期間では、１本の前記ライン状配列での前記水平方向への水平走査を行うための期間として予め定められた１水平走査期間毎に、前記複数の画素部に供給すべき画像信号を基準電位に対して極性を反転させつつ、前記データ線に供給する。
【００１５】
この態様によれば、電気光学装置を、表示期間では、１本のライン状配列毎に極性を反転させつつ上述した領域走査方式で駆動させることができる。よって、表示画面のフリッカをより確実に低減することができる。従って、高品質な画像を表示させることができる。
【００１６】
本発明の電気光学装置は上記課題を解決するために、上述した本発明に係る電気光学装置の駆動方法（但し、その各種態様も含む）によって駆動される。
【００１７】
本発明の電気光学装置によれば、上述した本発明に係る電気光学装置の駆動方法によって駆動されるので、複数の画素部における残留電荷の差を小さくすることができる。
【００１８】
本発明の電子機器は上記課題を解決するために、上述した本発明の電気光学装置（但し、その各種態様も含む）を備える。
【００１９】
本発明の電子機器によれば、上述した本発明の電気光学装置を備えるので、高品質な画像表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。
【００２０】
本発明の作用及び他の利得は次に説明する実施するための最良の形態から明らかにされる。
【発明を実施するための最良の形態】
【００２１】
以下では、本発明の実施形態について図を参照しつつ説明する。以下の実施形態では、本発明に係る電気光学装置の一例である液晶装置を例にとる。
＜第１実施形態＞
第１実施形態に係る液晶装置について、図１から図１２を参照して説明する。
【００２２】
先ず、本実施形態に係る液晶装置の全体構成について、図１及び図２を参照して説明する。
【００２３】
図１は、本実施形態に係る液晶装置の構成を示す平面図であり、図２は、図１のＨ−Ｈ’線での断面図である。
【００２４】
図１及び図２において、本実施形態に係る液晶装置では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、本発明に係る「画素領域」の一例としての画像表示領域１０ａの周囲に位置するシール領域に設けられたシール材５２により相互に接着されている。
【００２５】
図１において、シール材５２が配置されたシール領域の内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、データ線駆動回路１０１及び外部回路接続端子１０２がＴＦＴアレイ基板１０の一辺に沿って設けられている。また、走査線駆動回路１０４は、この一辺に隣接する２辺に沿ったシール領域の内側に、額縁遮光膜５３に覆われるようにして設けられている。また、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００２６】
ＴＦＴアレイ基板１０上には、外部回路接続端子１０２と、データ線駆動回路１０１、走査線駆動回路１０４、上下導通端子１０６等とを電気的に接続するための引回配線９０が形成されている。
【００２７】
図２において、ＴＦＴアレイ基板１０上には、駆動素子である画素スイッチング用のＴＦＴ（Thin Film Transistor）や走査線、データ線等の配線が作り込まれた積層構造が形成されている。画像表示領域１０ａには、画素スイッチング用ＴＦＴや走査線、データ線等の配線の上層に画素電極９ａが設けられている。他方、対向基板２０におけるＴＦＴアレイ基板１０との対向面上に、遮光膜２３が形成されている。そして、遮光膜２３上に、ＩＴＯ等の透明材料からなる対向電極２１が複数の画素電極９ａと対向して形成される。対向電極２１には、外部の電源回路（不図示）から外部回路接続端子１０２、引回配線９０、上下導通端子１０６及び上下導通材１０７を介して共通電位ＬＣＣＯＭが供給される。
【００２８】
また、液晶層５０は、例えば一種又は数種類のネマティック液晶を混合した液晶からなり、これら一対の配向膜間で、所定の配向状態をとる。
【００２９】
尚、ここでは図示しないが、ＴＦＴアレイ基板１０上には、データ線駆動回路１０１、走査線駆動回路１０４の他に、製造途中や出荷時の当該液晶装置の品質、欠陥等を検査するための検査回路、検査用パターン等が形成されていてもよい。
【００３０】
図３は、本実施形態に係る液晶装置の画素部の等価回路図である。
【００３１】
図３に示すように、画像表示領域１０ａにおいては、複数の走査線１１ａ及び複数のデータ線６ａが相交差して配列しており、その線間に、走査線１１ａ及びデータ線６ａの各一により選択される画素部が設けられている。各画素部には、ＴＦＴ３０、画素電極９ａ及び蓄積容量７０が設けられている。ＴＦＴ３０は、データ線６ａから供給される画像信号Ｓ１、Ｓ２、…、Ｓｎを選択画素に印加するために設けられ、ゲートが走査線１１ａに接続され、ソースがデータ線６ａに接続され、ドレインが画素電極９ａに接続されている。画素電極９ａは、対向電極２１との間で液晶容量を形成し、入力される画像信号Ｓ１、Ｓ２、…、Ｓｎを画素部に印加して一定期間保持するようになっている。蓄積容量７０の一方の電極は、画素電極９ａと並列してＴＦＴ３０のドレインに接続され、他方の電極は、定電位となるように、電位固定の容量配線４００に接続されている。
【００３２】
本実施形態に係る液晶装置は、ＴＦＴアクティブマトリクス駆動方式を採り、走査線駆動回路１０４（図１参照）から各走査線１１ａに走査信号Ｇ１、Ｇ２、…、Ｇ２ｍを後述する順序で印加すると共に、それによってＴＦＴ３０がオン状態となる水平方向の選択画素部列に対し、データ線駆動回路１０１（図１参照）からの画像信号Ｓ１、Ｓ２、…、Ｓｎを、データ線６ａを通じて印加するようになっている。この際、画像信号Ｓ１、Ｓ２、…、Ｓｎを各データ線６ａに線順次に供給してゆくようにしてもよいし、複数のデータ線６ａ（例えばグループ毎）に同じタイミングで供給するものとしてもよい。これにより、画像信号が選択画素部に対応する画素電極９ａに供給される。ＴＦＴアレイ基板１０は、液晶層５０を介して対向基板２０と対向配置されているので（図２参照）、以上のようにして区画配列された画素部毎に液晶層５０に電界を印加することにより、両基板間の透過光量が画素部毎に制御され、画像が階調表示される。ノーマリーホワイトモードであれば、各画素部の単位で印加された電圧に応じて入射光に対する透過率が減少し、ノーマリーブラックモードであれば、各画素の単位で印加された電圧に応じて入射光に対する透過率が増加され、全体として液晶装置からは画像信号に応じたコントラストをもつ光が出射する。尚、以下では、本実施形態に係る液晶装置がノーマリーブラックモードとして構成されているものとして説明する。
【００３３】
また、このとき各画素部に保持された画像信号は、蓄積容量７０によりリークが防止される。
【００３４】
尚、以下では、説明の便宜のため、２ｍ本の走査線のうち、走査信号Ｇ１が入力される第１番目の走査線１１ａを走査線Ｇ１と、走査信号Ｇ２が入力される第２番目の走査線１１ａを走査線Ｇ２と、…、走査信号Ｇ２ｍが入力される第２ｍ番目の走査線１１ａを走査線Ｇ２ｍと適宜呼ぶ。
【００３５】
図４は、本実施形態に係る液晶装置の駆動部を含むブロック図である。
【００３６】
図４に示すように、本実施形態に係る液晶装置の駆動部６０は、上述したデータ線駆動回路１０１、走査線駆動回路１０４の他、コントローラ６１、第１フレームメモリ６２及び第２フレームメモリ６３の２画面分のフレームメモリ、ＤＡコンバータ６４等から構成されている。コントローラ６１には、垂直同期信号Ｖｓｙｎｃ、水平同期信号Ｈｓｙｎｃ、ドットクロック信号ｄｏｔｃｌｋ及びソース信号ＤＡＴＡが入力される。そして、コントローラ６１は、垂直同期信号Ｖｓｙｎｃ、水平同期信号Ｈｓｙｎｃ及びドットクロック信号ｄｏｔｃｌｋに基づく各構成要素の動作タイミング制御、第１フレームメモリ６２及び第２フレームメモリ６３の書き込み／読み出しの制御、及び、書き込む走査線１１ａに対応したソース信号ＤＡＴＡのフレームメモリからＤＡコンバータ６４への出力を行う。第１フレームメモリ６２及び第２フレームメモリ６３は、交互に、例えば１フレーム毎に、一方に外部入力された１フレーム分のソース信号ＤＡＴＡを一時的に蓄えると共に、他方からは蓄積したソース信号ＤＡＴＡを表示用に出力させるように利用される。ＤＡコンバータ６４は、フレームメモリから読み出されたソース信号ＤＡＴＡをＤＡ（Digital to Analog）変換し、画像信号Ｓｘとしてデータ線駆動回路１０１に出力するものである。データ線駆動回路１０１は、入力された画像信号Ｓｘを対応するデータ線６ａに印加する。
【００３７】
走査線駆動回路１０４は、コントローラ６１からクロック信号ＣＬＹ、反転クロック信号ＣＬＹ´、ＹスタートパルスＤＹ、並びにイネーブル信号ＥＮＢＹ１及びＥＮＢＹ２が入力される構成となっている。また、走査線駆動回路１０４は、後述するように、シフトレジスタを備えている。走査線駆動回路１０４に入力されたＹスタートパルスＤＹは、シフトレジスタの各出力段によってクロック信号ＣＬＹ（及び反転クロック信号ＣＬＹ´）に基づいてシフト或いは転送されると共に出力信号として順次出力され、該出力信号とイネーブル信号ＥＮＢＹ１又はＥＮＢＹ２との論理積が走査信号Ｇ１〜Ｇ２ｍとして走査線１１ａに出力される。
【００３８】
次に、本実施形態に係る液晶装置の走査線駆動回路の構成について、図５及び図６を参照して説明する。
【００３９】
図５は、走査線駆動回路の回路構成を示す回路図である。図６は、シフトレジスタの回路構成を示す回路図である。
【００４０】
図５及び図６において、走査駆動回路１０４は、シフトレジスタ６６と２ｍ個のＡＮＤ回路６７を備えて構成されている。
【００４１】
図５に示すように、シフトレジスタ６６には、コントローラ６１（図４参照）からＹスタートパルスＤＹ、クロック信号ＣＬＹ及び反転クロック信号ＣＬＹ´が夫々入力される。図６に示すように、シフトレジスタ６６は、複数のインバータ６６ａから構成されている。
【００４２】
図５において、２ｍ個のＡＮＤ回路６７の各々の出力には、２ｍ本の走査線１１ａの各々が電気的に接続されている。２ｍ本の走査線１１ａは、画像表示領域１０ａの中央部に位置するｍ本目とｍ＋１本目を境として２つのブロックに分かれており、ＡＮＤ回路６７にはシフトレジスタ６６からの各出力信号と２つのイネーブル信号ＥＮＢＹ１及びＥＮＢＹ２のいずれかが入力されるように構成されている。即ち、走査線Ｇ１〜Ｇｍに対応するＡＮＤ回路６７にはシフトレジスタ６６からの出力信号とイネーブル信号ＥＮＢＹ１が入力され、走査線Ｇｍ＋１〜Ｇ２ｍに対応するＡＮＤ回路６７にはシフトレジスタ６６からの出力信号とイネーブル信号ＥＮＢＹ２が入力される構成となっている。
【００４３】
次に、本実施形態に係る液晶装置の駆動方法について、図７から図１２を参照して説明する。
【００４４】
図７は、本実施形態に係る液晶装置の駆動方法を説明するためのタイミングチャートである。図７では、表示期間ＳＴ１及びオフシーケンス期間ＳＴ２におけるＹスタートパルスＤＹを垂直同期信号Ｖｓｙｎｃと共に示している。表示期間ＳＴ１は、画像を表示するための期間である。オフシーケンス期間ＳＴ２は、表示期間ＳＴ１中のタイミングＴ１に、液晶装置の電源をオフ状態にすべき旨のオフコマンドが入力されることにより表示期間ＳＴ１に続いて開始される。オフシーケンス期間ＳＴ２は、全ての画素部に所定電位を有する所定電位信号を書き込むための所定電位書込み期間ＳＴａと、データ線６ａが電気的に切断されたハイインピーダンス状態とされるハイインピーダンス期間ＳＴｂとからなる。本実施形態に係る液晶装置では、表示期間ＳＴ１中にオフコマンドが入力されると、その入力されたタイミングＴ１に応じて所定電位書込み期間ＳＴａが開始される。そして、所定電位書込み期間ＳＴａに続くハイインピーダンス期間ＳＴｂを経て、液晶装置の電源がオフ状態とされる。
【００４５】
図７に示すように、コントローラ６１は、表示期間ＳＴ１及び所定電位書き込み期間ＳＴａにおいて、本発明に係る「一画面表示期間」の一例である１垂直期間（即ち、垂直同期信号Ｖｓｙｎｃの周期）中に２回のＹスタートパルスＤＹを走査線駆動回路１０４へ出力する。後に詳細に説明するが、コントローラ６１は、表示期間ＳＴ１では、ＹスタートパルスＤＹとして、１垂直期間毎に、２つのＹスタートパルスＤＹ１及びＤＹ２を走査線駆動回路１０４へ出力し、表示期間ＳＴ１に続く所定電位書き込み期間ＳＴａでは、ＹスタートパルスＤＹとして、１垂直期間毎に、２つのＹスタートパルスＤＹ１’及びＤＹ２’を走査線駆動回路１０４へ出力する。所定電位書き込み期間ＳＴａは、画像表示領域１０ａにマトリクス状に配列された画素部に残留電荷が不均一に残ってしまうのを防ぐために、全ての画素部の画素電極９ａに所定電位（本実施形態では、共通電位ＬＣＣＯＭ）を有する所定電位信号を供給するための期間であり、表示期間ＳＴ１に続いてオフシーケンス期間ＳＴ２の一部として設けられている。
【００４６】
ここで、表示期間における本実施形態に係る液晶装置の駆動方法について、図８から図１０を参照して説明する。
【００４７】
図８は、表示期間における本実施形態に係る液晶装置の駆動方法を説明するためのタイミングチャートである。図９は、画面のイメージを示す説明図である。図１０は、画面の動きを説明するための説明図である。
【００４８】
図８では、表示期間ＳＴ１における、ＹスタートパルスＤＹ、クロック信号ＣＬＹ、反転クロック信号ＣＬＹ´、イネーブル信号ＥＮＢＹ１及びＥＮＢＹ２、走査信号Ｇｉ並びに画像信号Ｓｘを示している。
【００４９】
図８において、ＹスタートパルスＤＹは、４水平期間（即ち、１本の走査線に対応する画素列の水平走査を行うための期間として予め定められた１水平期間（１Ｈ）の４倍の期間）のパルス幅を有しており、２水平期間毎に１パルスが立ち上がるクロック信号ＣＬＹ（及び反転クロック信号ＣＬＹ’）によって走査線駆動回路１０４のシフトレジスタ６６中をシフトしていく。ここで、表示期間ＳＴ１におけるＹスタートパルスＤＹを構成するＹスタートパルスＤＹ１及びＤＹ２は、１／２垂直期間だけずれてコントローラ６１から入力され、１／２垂直期間だけずれた状態でシフトレジスタ６６中をそれぞれシフトしていく。また、ＹスタートパルスＤＹが画面中央部の異なるイネーブル信号によって制御される領域（具体的にはｍ＋１本目の走査線）に差し掛かったとき、イネーブル信号ＥＮＢＹ１とイネーブル信号ＥＮＢＹ２の位相が逆転する。以上の動作によって、走査信号Ｇ１、・・・、Ｇ２ｍは走査線１１ａのｍ本分離れた画面上の２個所に交互に出力される。即ち、所定の走査線１１ａからｍ本離れた走査線１１ａに飛び越しては前記所定の走査線１１ａの次段の走査線１１ａに戻り、その走査線１１ａからｍ本離れた走査線１１ａに飛び越してはまたその次段の走査線１１ａに戻るというように（即ち、走査線Ｇ１、走査線Ｇｍ＋１、走査線Ｇ２、走査線Ｇｍ＋２、走査線Ｇ３、…という順序で）順次出力される。
【００５０】
一方、データ線駆動回路１０１からの出力である画像信号Ｓｘは、共通電位ＬＣＣＯＭを中心として１水平期間毎に正極性電位と負極性電位とに極性が反転する。よって、画像信号Ｓｘ側が１水平期間毎に極性反転しつつ、走査信号Ｇ１、・・・、Ｇｍ側は上記の順番で走査線１１ａのｍ本分離れた画面の２個所に交互に出力されることになる。
【００５１】
この結果、図９に示すように、ある１水平期間に着目すると、例えば走査線Ｇ３〜Ｇｍ＋２に走査される画素部は正極性電位のデータが書き込まれた領域となり、走査線Ｇ１〜Ｇ２及びＧｍ＋３〜Ｇ２ｍに走査される画素部は負極性電位のデータが書き込まれる領域となるというように、画面内が正極性領域と負極性領域に分割されたような状態となる。
【００５２】
図１０において、例えば第１水平期間では、第２ｍ番目の走査線１１ａが走査信号Ｇ２ｍにより走査され、負電位の画像信号Ｓｘが書き込まれる。第２水平期間では第ｍ＋１番目の走査線１１ａが走査信号Ｇｍ＋１により走査され、第１水平期間では負電位であった画素部に正電位の画像信号Ｓｘが書き込まれる。第３水平期間では第１番目の走査線１１ａが走査信号Ｇ１により走査され、第１、第２水平期間では正電位であった画素部に負電位の画像信号Ｓｘが書き込まれる。以降は、このような選択書き込み動作が繰り返される。画面の半分を走査し終えたときに、正極性領域と負極性領域とが完全に反転し、１画面分の書き換えが行われたことになる。この方法によれば、１垂直期間で１画面分の書き換えは２度行われる。
【００５３】
このように、本実施形態に係る液晶装置は、表示期間ＳＴ１では「領域走査方式」の駆動を行う。
【００５４】
次に、オフシーケンス期間における本実施形態に係る液晶装置の駆動方法について、図７に加えて図１１及び図１２を参照して説明する。
【００５５】
図１１及び図１２は、オフシーケンス期間における本実施形態に係る液晶装置の駆動方法を説明するためのタイミングチャートである。
【００５６】
図７及び図１１において、表示期間ＳＴ１中のタイミングＴ１に、液晶装置の電源をオフ状態にすべき旨のオフコマンドが入力されることにより表示期間ＳＴ１に続いて所定電位書き込み期間ＳＴａが開始される。所定電位書き込み期間ＳＴａは、１垂直期間と同じ長さの期間として設定されている。
【００５７】
所定電位書き込み期間ＳＴａでは、ＹスタートパルスＤＹは、表示期間ＳＴ１におけるＹスタートパルスＤＹの半分のパルス幅とされる（即ち、２水平期間のパルス幅を有するようにコントローラ６１によってＹスタートパルスＤＹのパルス幅が変更される）。更に、所定電位書き込み期間ＳＴａでは、クロック信号ＣＬＹは、表示期間ＳＴ１におけるクロック信号ＣＬＹの半分の周期とされる（即ち、１水平期間毎に１パルスが立ち上がるようにコントローラ６１によってクロック信号ＣＬＹの周期が変更される）。加えて、所定電位書き込み期間ＳＴａでは、イネーブル信号ＥＮＢＹ１及びＥＮＢＹ２はそれぞれ、クロック信号ＣＬＹの立ち上がり及び立下りに応じて立ち上がる、クロック信号ＣＬＹよりも狭いパルス幅を有するパルス信号とされる。
【００５８】
ＹスタートパルスＤＹは、１水平期間毎に１パルスが立ち上がるクロック信号ＣＬＹ（及び反転クロック信号ＣＬＹ´）によって走査線駆動回路１０４のシフトレジスタ６６中をシフトしていく。ここで、所定電位書き込み期間ＳＴａにおけるＹスタートパルスＤＹを構成するＹスタートパルスＤＹ１及びＤＹ２は、１／２垂直期間（即ち、１垂直期間の１／２倍の期間）だけずれてコントローラ６１から入力される。ＹスタートパルスＤＹ１及びＤＹ２は、１／２垂直期間（言い換えれば、所定電位書き込み期間ＳＴａにおける垂直走査期間）だけずれて、交互にシフトレジスタ６６中をシフトしていく。即ち、ＹスタートパルスＤＹ１’のシフトレジスタ６６におけるシフトが完了するタイミングで、ＹスタートパルスＤＹ２’がシフトレジスタ６６に入力され、ＹスタートパルスＤＹ２’のシフトレジスタ６６におけるシフトが完了するタイミングで再びＹスタートパルスＤＹ１’が入力される。シフトレジスタ６６からの出力信号は、イネーブル信号ＥＮＢＹ１或いはＥＮＢＹ２との論理積がとられる。以上の動作によって、走査信号は、２ｍ本の走査線１１ａに対して画面上方から下方に向かって順次に（即ち、走査線Ｇ１、走査線Ｇ２、走査線Ｇ３、…、走査線Ｇ２ｍという順序で）出力される。言い換えれば、隣接する走査線１１ａが順番に（例えば１本目の走査線１１ａから２ｍ本目の走査線１１ａまで１本の走査線１１ａも飛ばされることなく順番に）走査される（つまり、選択される）。
【００５９】
一方、データ線駆動回路１０１から、画像信号Ｓｘとして共通電位ＬＣＣＯＭと同一の電位を有する所定電位信号Ｖｃがデータ線６ａに出力される。
【００６０】
よって、所定電位書き込み期間ＳＴａでは、（１垂直期間で）１画面分の所定電位信号Ｖｃの書き込み或いは書き換えが２度行われる。
【００６１】
このように、本実施形態に係る液晶装置は、所定電位書き込み期間ＳＴａでは、１／２垂直期間で全ての走査線を順次に走査する「単純倍速駆動」を行う。ここで、所定電位書込み期間ＳＴａでは、対向電極２１（図２参照）が有する共通電極ＬＣＣＯＭと同一の電位を有する所定電位信号Ｖｃが全ての画素電極９ａに供給されるので、全ての画素部おいて液晶層５０（図２参照）に電圧が印加されない。よって、ノーマリーブラックモードして構成された本実施形態に係る液晶装置の画像表示領域１０ａの全体で黒画像が表示される。
【００６２】
図７及び図１２において、所定電位書き込み期間ＳＴａの終了後は、データ線６ａが電気的に切断されたハイインピーダンス状態（Ｈｉ−Ｚ）とされるハイインピーダンス期間ＳＴｂとなる。ハイインピーダンス期間ＳＴｂは、液晶装置の電源が停止されることにより終了する。
【００６３】
図１２において、ハイインピーダンス期間ＳＴｂでは、ＹスタートパルスＤＹは、走査線駆動回路１０４に入力されない（即ち、コントローラ６１による走査線駆動回路１０４に対するＹスタートパルスＤＹの出力が停止される）。よって、走査線駆動回路１０４から走査信号が出力されない。従って、画素部におけるＴＦＴ３０をオフ状態に維持することができるので、ハイインピーダンス状態とされたデータ線６ａから画素部に不定な電位が書き込まれてしまうことを回避できる。
【００６４】
以上のように、オフシーケンス期間ＳＴ２では、所定電位書き込み期間ＳＴａにおいて全ての画素部に対して所定電位信号Ｖｃを書き込むことができると共にハイインピーダンス期間ＳＴｂにおいてハイインピーダンス状態とされたデータ線６ａから画素部に不定な電位が書き込まれてしまうことを回避できる。よって、オフシーケンス期間ＳＴ２の終了後（言い換えれば、液晶装置の電源がオフ状態とされた後）に、複数の画素部に残留電荷が不均一に残ってしまうことを抑制することができる（即ち、複数の画素部における残留電荷の差を小さくすることができる）。これにより、本実施形態に係る液晶装置の画像表示領域１０ａに残像が表示されてしまうことを低減することもできる。
【００６５】
図１３は、比較例における図１２と同趣旨のタイミングチャートである。尚、ここでは図示を省略するが、比較例に係る液晶装置は、表示期間ＳＴ１では、上述した本実施形態に係る液晶装置と同様に、「領域走査方式」の駆動を行う。
【００６６】
図１３において、比較例に係る液晶装置の駆動方法によれば、表示期間ＳＴ１に続く所定電位書き込み期間ＳＴａにおいて、上述した「領域駆動方式」の駆動を行うことにより所定電位信号Ｖｃを全ての画素部に対して書き込む。即ち、所定電位書き込み期間ＳＴａでは、表示期間ＳＴ１と同様に、ＹスタートパルスＤＹとしてＹスタートパルスＤＹ１及びＤＹ２が１垂直期間に１／２垂直期間だけずれて走査線駆動回路１０４のシフトレジスタ６６に入力され、１／２垂直期間だけずれた状態でシフトレジスタ６６中をそれぞれシフトしていき、シフトレジスタ６６からの出力信号がイネーブル信号ＥＮＢＹ１或いはＥＮＢＹ２との論理積がとられることにより走査信号として、走査線１１ａのｍ本分離れた画面上の２個所に交互に出力される。一方、データ線駆動回路１０１から、画像信号Ｓｘとして共通電位ＬＣＣＯＭと同一の電位を有する所定電位信号Ｖｃがデータ線６ａに出力される。
【００６７】
所定電位書き込み期間ＳＴａの終了後は、データ線６ａが電気的に切断されたハイインピーダンス状態（Ｈｉ−Ｚ）とされるハイインピーダンス期間ＳＴｂとなる。ハイインピーダンス期間ＳＴｂは、液晶装置の電源が停止されることにより終了する。
【００６８】
ここで、図１３に示す比較例に係る液晶装置の駆動方法によれば、ハイインピーダンス期間ＳＴｂにおいて、ｍ＋１本目から２ｍ本目の走査線１１ａに走査信号が出力されてしまい、ｍ＋１本目から２ｍ本目の走査線１１ａの各々に電気的に接続された画素部にハイインピーダンス状態とされたデータ線６ａから不定な電位が書き込まれてしまう。
【００６９】
即ち、所定電位書き込み期間ＳＴａの終了時点よりも１／２垂直期間だけ前にシフトレジスタ６６にコントローラ６１から入力されたＹスタートパルスＤＹ２が、所定電位書き込み期間ＳＴａの終了時点ではシフトレジスタ６６におけるシフトを完了しておらず、所定電位書き込み期間ＳＴａの終了後（即ち、ハイインピーダンス期間ＳＴｂの開始後）にも１／２垂直期間だけシフトされる結果、走査信号Ｇｍ＋１、Ｇｍ＋２、…、Ｇ２ｍが走査線１１ａに出力されてしまう。よって、ｍ＋１本目から２ｍ本目の走査線１１ａの各々に電気的に接続された画素部のＴＦＴ３０がオン状態となってしまい、該画素部においてハイインピーダンス状態とされたデータ線６ａと画素電極９ａとが電気的に接続されてしまう。このため、ハイインピーダンス状態とされたデータ線６ａから画素部の画素電極９ａに不定な電位が書き込まれてしまう。この結果、複数の画素部に残留電荷が不均一に残ってしまうおそれがある。
【００７０】
しかるに、本実施形態に係る液晶装置の駆動方法によれば、上述したように所定電位書き込み期間ＳＴａでは、１／２垂直期間で全ての走査線１１ａを順次に走査する「単純倍速駆動」を行うので、ハイインピーダンス状態とされたデータ線６ａから画素部に不定な電位が書き込まれてしまうことを回避できる。従って、複数の画素部における残留電荷の差を小さくする或いは実践上無くすことができる。
＜電子機器＞
次に、上述した電気光学装置である液晶装置を各種の電子機器に適用する場合について説明する。先ず、この液晶装置をライトバルブとして用いたプロジェクタについて説明する。図１４は、プロジェクタの構成例を示す平面図である。この図１４に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６及び２枚のダイクロイックミラー１１０８によってＲＧＢの３原色に分離され、各原色に対応するライトバルブとしての液晶パネル１１１０Ｒ、１１１０Ｂ及び１１１０Ｇに入射される。
【００７１】
液晶パネル１１１０Ｒ、１１１０Ｂ及び１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、Ｒ及びＢの光が９０度に屈折する一方、Ｇの光が直進する。従って、各色の画像が合成される結果、投射レンズ１１１４を介して、スクリーン等にカラー画像が投写されることとなる。
【００７２】
ここで、各液晶パネル１１１０Ｒ、１１１０Ｂ及び１１１０Ｇによる表示像について着目すると、液晶パネル１１１０Ｇによる表示像は、液晶パネル１１１０Ｒ、１１１０Ｂによる表示像に対して左右反転することが必要となる。
【００７３】
尚、液晶パネル１１１０Ｒ、１１１０Ｂ及び１１１０Ｇには、ダイクロイックミラー１１０８によって、Ｒ、Ｇ、Ｂの各原色に対応する光が入射するので、カラーフィルタを設ける必要はない。
【００７４】
尚、図１４を参照して説明した電子機器の他にも、モバイル型のパーソナルコンピュータや、携帯電話、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【００７５】
また本発明は、上述の実施形態で説明した液晶装置以外にも、シリコン基板上に素子を形成する反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【００７６】
本発明は、上述した実施形態に限られるものではなく、特許請求の範囲及び明細書全体から読み取れる発明の要旨或いは思想に反しない範囲で適宜変更可能であり、そのような変更を伴う電気光学装置の駆動方法、電気光学装置及び該電気光学装置を備えてなる電子機器もまた本発明の技術的範囲に含まれるものである。
【図面の簡単な説明】
【００７７】
【図１】第１実施形態に係る液晶装置の構成を示す平面図である。
【図２】図１のＨ−Ｈ’線断面図である。
【図３】第１実施形態に係る液晶装置の画素部の等価回路図である。
【図４】第１実施形態に係る液晶装置の駆動部を含むブロック図である。
【図５】走査線駆動回路の回路構成を示す回路図である。
【図６】シフトレジスタの回路構成を示す回路図である。
【図７】第１実施形態に係る液晶装置の駆動方法を説明するためのタイミングチャートである。
【図８】表示期間における第１実施形態に係る液晶装置の駆動方法を説明するためのタイミングチャートである。
【図９】画面のイメージを示す説明図である。
【図１０】画面の動きを説明するための説明図である。
【図１１】オフシーケンス期間における第１実施形態に係る液晶装置の駆動方法を説明するためのタイミングチャート（その１）である。
【図１２】オフシーケンス期間における第１実施形態に係る液晶装置の駆動方法を説明するためのタイミングチャート（その２）である。
【図１３】比較例に係る液晶装置の駆動方法を説明するためのタイミングチャートである。
【図１４】電気光学装置を適用した電子機器の一例たるプロジェクタの構成を示す平面図である。
【符号の説明】
【００７８】
６ａ…データ線、９ａ…画素電極、１０…ＴＦＴアレイ基板、１０ａ…画像表示領域、１１ａ…走査線、２０…対向基板、２１…対向電極、５０…液晶層、１０１…データ線駆動回路、１０２…外部回路接続端子、１０４…走査線駆動回路、ＳＴ１…表示期間、ＳＴ２…オフシーケンス期間、ＳＴａ…所定電位書込み期間、ＳＴｂ…ハイインピーダンス期間
【図１】
0005540469.tif 000002
【図２】
0005540469.tif 000003
【図３】
0005540469.tif 000004
【図４】
0005540469.tif 000005
【図５】
0005540469.tif 000006
【図６】
0005540469.tif 000007
【図７】
0005540469.tif 000008
【図８】
0005540469.tif 000009
【図９】
0005540469.tif 000010
【図１０】
0005540469.tif 000011
【図１１】
0005540469.tif 000012
【図１２】
0005540469.tif 000013
【図１３】
0005540469.tif 000014
【図１４】
0005540469.tif 000015